(57)【要約】【課題】傘に付着した水が垂れ落ちて室内や車内の地面が濡れてしまうことを改善する。【解決手段】本発明に係る傘用の除水器は、ケーシングと、吸水体とを備え、該ケーシングは、上面と、該上面に対向する底面と、該ケーシング内に形成された収容空間と、該上面を貫通し且つ該収容空間に連通する上面開口と、該底面を貫通し且つ該収容空間に連通して該上面開口に対向する底面開口とを有し、該吸水体は、該収容空間内に詰め込まれ、該吸水体には、該吸水体を貫通し且つ該底面開口に対向する貫通孔が形成されている。本発明では、傘に付着した水を該吸水体で吸収するため、傘に付着した水が垂れ落ちることが抑制される。【選択図】図７
2015213604.tif 000002
【特許請求の範囲】
【請求項１】
ケーシングと、吸水体とを備えた傘用の除水器であって、
該ケーシングは、上面と、該上面に対向する底面と、該ケーシング内に形成された収容空間と、該上面を貫通し且つ該収容空間に連通する上面開口と、該底面を貫通し且つ該収容空間に連通して該上面開口に対向する底面開口とを有し、
該吸水体は、該収容空間内に詰め込まれ、該吸水体には、該吸水体を貫通し且つ該底面開口に対向する貫通孔が形成されている、傘用の除水器。
【請求項２】
該ケーシングは、ベースとキャップ部とによって構成され、
該ベースは、環状壁と、該底面と、該底面開口とを有し、該環状壁は、該底面の周縁部に沿って該底面の一方の側面に形成され、該底面と該環状壁との間に該収容空間が囲まれて形成され、
該キャップ部は、該吸水体を規制するように、着脱可能に該ベースに装着されて固定され、該キャップ部は、側壁と、該上面と、該上面開口とを有し、該側壁は、該上面の周縁部に沿って該上面に形成されている、請求項１に記載の傘用の除水器。
【請求項３】
該側壁の内側面には、該側壁の内側面縁部に位置し且つ該ベースに着脱可能に嵌合される複数の嵌合部が更に形成されている、請求項２に記載の傘用の除水器。
【請求項４】
該環状壁の外壁面には、対応する嵌合部と着脱可能に嵌合する複数の係合部が凹設されている、請求項３に記載の傘用の除水器。
【請求項５】
該環状壁の外壁面には、ねじ山が形成され、該側壁の内壁面には、該環状壁の外壁面に形成されたねじ山に対応するねじ山が形成されている、請求項２に記載の傘用の除水器。
【請求項６】
該ベースは、該ベースの他方の側面に形成された位置規制部を更に有し、該位置規制部には、該底面開口を介して該収容空間に連通する位置制限空間が凹設されている、請求項２乃至４のいずれか一項に記載の傘用の除水器。
【請求項７】
該ベースは、該位置規制空間に向かって突出するように該底面開口の周縁部に沿って該底面に形成されている内側位置規制部を更に有する、請求項６に記載の傘用の除水器。
【発明の詳細な説明】
【技術分野】
【０００１】
本発明は、傘用の除水器に関し、特に傘に付着した水を吸着することにより、傘に付着した水が垂れ落ちることを抑制する傘用の除水器に関する。
【背景技術】
【０００２】
亜熱帯地域または海島型気候である国々にとって、降水確率が高くて、傘は生活において必要不可欠なものである。
【０００３】
ところで、雨の日に傘を使用した後に室内に入ったり交通手段を利用したりする際、濡れていて水が垂れ落ちる傘は自分や他人の迷惑となる。傘に付着した水が地面に垂れ落ちると、地面が濡れて滑りやすくなり、通行人が滑りによって転倒しまうおそれがあると共に、通行人が通行した後の地面は汚れてしまう。
【発明の概要】
【発明が解決しようとする課題】
【０００４】
一部のパブリックスペースでは傘立てが設置されているが、傘立てに置いた傘は間違って取られたり、盗まれたりする可能性がある。また、一部の場所ではプラスチック製の傘袋が提供され、傘袋で傘を覆うことで水が垂れ落ちることを防止できるが、傘袋は、傘を使用する際に収納しなければならず不便であるため、一回の使用で捨てられることが多く、また、プラスチック製の傘袋の使用は、環境に負担をかけることとなる。このように、従来の傘には、使用後に水が垂れ落ちて室内や車内の地面が濡れてしまうことのないように改良する余地がある。
【課題を解決するための手段】
【０００５】
上述した従来の傘の使用後に、傘に付着した水が垂れ落ちて室内や車内の地面が濡れてしまうことを改善するように、本発明は傘用の除水器を提供する。該傘用の除水器は、ケーシングと、吸水体とを備え、該ケーシングは、上面と、該上面に対向する底面と、該ケーシング内に形成された収容空間と、該上面を貫通し且つ該収容空間に連通する上面開口と、該底面を貫通し且つ該収容空間に連通して該上面開口に対向する底面開口とを有し、該吸水体は、該収容空間内に詰め込まれ、該吸水体には、該吸水体を貫通し且つ該底面開口に対向する貫通孔が形成されている。
【０００６】
傘の使用後に、傘の軸棒の先端を該吸水体の貫通孔に挿通し、傘の軸棒に沿って該除水器を傘柄側へ移動させれば、傘に付着した水が吸水体によって吸収されるため、傘に付着した水が垂れ落ちることが抑制される。また、該傘用の除水器の使用後には、傘柄の先端を該吸水体の貫通孔内に挿通して傘柄上に収納することができるため、収納が便利であり、紛失したり携行を忘れたりすることがない。
【０００７】
該ケーシングは、ベースとキャップ部とによって構成され、該ベースは、環状壁と、該底面と、該底面開口とを有し、該環状壁は、該底面の周縁部に沿って該底面の一方の側面に形成され、該底面と該環状壁との間に該収容空間が囲まれて形成され、該キャップ部は、該吸水体を規制するように、着脱可能に該ベースに装着されて固定され、該キャップ部は、側壁と、該上面と、該上面開口とを有し、該側壁は、該上面の周縁部に沿って該上面に形成されていることが好ましい。キャップ部を取り外せば該吸水体を容易に取り出せるため、水を絞ったり、新しい吸水体に交換したりすることが容易となる。
【０００８】
該側壁の内側面に、該側壁の内側面縁部に位置し且つ該ベースに着脱可能に嵌合される複数の嵌合部が更に形成されていることが好ましい。該環状壁の外壁面に、対応する嵌合部と着脱可能に嵌合する複数の係合部が凹設されていることが更に好ましい。
【０００９】
該環状壁の外壁面には、ねじ山が形成され、該側壁の内壁面には、該環状壁の外壁面に形成されたねじ山に対応するねじ山が形成されていることが好ましい。
【００１０】
該ベースは、該ベースの他方の側面に形成された位置規制部を更に有し、該位置規制部には、該底面開口を介して該収容空間に連通する位置制限空間が凹設されていることが好ましい。該傘用の除水器が収納される際に、傘の傘骨の位置は該位置制限空間によって規制される。
【００１１】
該ベースは、該位置規制空間に向かって突出するように該底面開口の周縁部に沿って該底面に形成されている内側位置規制部を更に有することが好ましい。吸水時に、内側位置規制部によって傘布が束ねられるため、除水器はより容易に移動できる。
【００１２】
該吸水体がスポンジであることが好ましい。
【００１３】
本発明に係る傘用の除水器は、傘に付着した水の吸着に使用できるほか、雨の中で歩行することで汚れた靴の表面を、キャップ部を取り外して吸水体を用いて拭くこともできる。
【図面の簡単な説明】
【００１４】
【図１】本発明の好ましい実施形態の外観斜視図である。
【図２】本発明の好ましい実施形態の分解斜視図である。
【図３】本発明の好ましい実施形態の断面図である。
【図４】本発明の他の好ましい実施形態の外観斜視図である。
【図５】本発明の他の好ましい実施形態の断面図である。
【図６】本発明の他の好ましい実施形態のもう一つの断面図である。
【図７】本発明の他の好ましい実施形態の使用状態を示す図である。
【図８】本発明の他の好ましい実施形態の使用状態を示す断面図である。
【図９】本発明の他の好ましい実施形態の収納状態を示す図である。
【図１０】本発明の他の好ましい実施形態の収納状態を示す断面図である。
【図１１】本発明の更なる好ましい実施形態の分解斜視図である。
【発明を実施するための形態】
【００１５】
図１及び図２に示すように、本発明の好ましい実施形態に係る傘用の除水器１は、ベース１０と、吸水体２０と、キャップ部３０とを備える。
【００１６】
図１ないし図３を参照すると、該ベース１０は、底面１１と、環状壁１２と、収容空間１３と、底面開口１４と、位置規制部１５とを有する。該環状壁１２は、該底面１１の周縁部に沿って該底面１１の一方の側面に形成され、該環状壁１２の外壁面には、ねじ山が形成されている。該底面１１と該環状壁１２との間に該収容空間１３が囲まれて形成されている。該底面開口１４は、該底面１１を貫通し且つ該収容空間１３に連通する。該位置規制部１５は、該底面１１の他方の側面に形成され、該位置規制部１５には、該底面開口１４を介して該収容空間１３に連通する位置制限空間１５１が凹設されている。
【００１７】
該吸水体２０は、該収容空間１３内に詰め込まれ、該吸水体２０には、該吸水体２０を貫通し且つ該底面開口１４に対向する貫通孔２１が形成されている。好ましい実施例において、該吸水体２０はスポンジであり、該貫通孔３２は錐状の孔である。すなわち、底面開口１４に面する貫通孔２１の一方側開口の直径が貫通孔２１の他方側開口の直径よりも大きい。
【００１８】
該キャップ部３０は、該吸水体２０を規制するように、着脱可能に該ベース１０に装着されて固定されている。該キャップ部３０は、上面３１と側壁３２とを有する。該側壁３２は、該上面３１の周縁部に沿って該上面３１に形成されている。該側壁３２の内壁面には、該環状壁１２の外壁面に形成されたねじ山に対応するねじ山が形成されている。該上面３１は該底面１１に対向し、該上面３１には、該貫通孔２１に対向する上面開口３３が貫通されている。
【００１９】
図４及び図５に示すように、本発明のもう一つの好ましい実施形態では、該ベース１０Ａは、該位置規制空間１５１Ａに向かって突出するように該底面開口１４Ａの周縁部に沿って該底面１１Ａに形成されている内側位置規制部１６Ａを更に有する。図６に示すように、該貫通孔２１Ａは断面が階段状となるように形成されてもよい。
【００２０】
図７及び図８に示すように、本発明の除水器１Ａを使用する際には、傘９０の軸棒９１の先端を該吸水体２０Ａの貫通孔２１Ａに挿通し、傘９０の軸棒９１に沿って該除水器１Ａを傘柄９２側へ移動させる。これによって、傘９０に付着した水が吸水体２０Ａによって吸収される。内側位置規制部１６Ａによって傘布が束ねられるため、除水器１Ａはより容易に軸棒９１に沿って移動することができる。
【００２１】
図９及び図１０に示すように、該除水器１Ａの使用後には、傘柄９２の先端を該除水器１Ａの位置規制部１５Ａ側から該吸水体２０Ａの貫通孔２１Ａに挿通し、該位置規制部１５Ａが傘９０の傘骨９３の先端を覆って傘骨９３の先端を該位置規制部１５Ａの位置規制空間１５１Ａ内に収容するまで、傘柄９２に沿って該除水器１Ａを移動させる。このようにして除水器１Ａが収納される。
【００２２】
図１１に示すように、本発明の更なる好ましい実施形態に係る傘用の除水器１Ｂにおいて、該ベース１０Ｂの環状壁１２Ｂの外壁面には、２つの係合部１２１Ｂが凹設されている。それらの係合部１２１Ｂは、該環状壁１２Ｂと該位置規制部１５Ｂとが接続する部位に、互いに対向するように配置されている。該キャップ部３０Ｂは、該吸水体２０Ｂを規制するように、着脱可能に該ベース１０Ｂに装着されて固定されている。該キャップ部３０Ｂの側壁３２Ｂの内側面には、２つの嵌合部３２１Ｂが形成されている。それらの嵌合部３２１Ｂは、該側壁３２Ｂの内側面縁部に、互いに対向するように配置されている。それらの嵌合部３２１Ｂは、対応する係合部１２１Ｂと着脱可能に嵌合する。
【００２３】
本発明の更なる実施形態において、該傘用の除水器のベースとキャップ部は、ケーシングとして一体的に形成され、該吸水体は該ケーシング内に詰め込まれている。
【００２４】
以上は本発明の好ましい実施形態の説明に過ぎず、本発明を如何なる形で限定するものではない。通常の知識を有する当該分野の者が、本発明の技術要旨を逸脱しない範囲で、以上に開示された技術内容に基づいてなされた同等効果を有する如何なる簡単な修正或いは変更は、いずれも本発明の保護範囲内に含まれるものとする。
【符号の説明】
【００２５】
１、１Ａ、１Ｂ        傘用の除水器      
１０、１０Ａ、１０Ｂ  ベース
１１、１１Ａ          底面
１２、１２Ａ、１２Ｂ  環状壁
１２１Ｂ              係合部
１３、１３Ａ          収容空間
１４、１４Ａ          底面開口
１５、１５Ａ、１５Ｂ  位置規制部
１５１、１５１Ａ      位置規制空間
１６Ａ                内側位置規制部
２０、２０Ａ、２０Ｂ  吸水体
２１、２１Ａ          貫通孔
３０、３０Ａ、３０Ｂ  キャップ部
３１、３１Ａ          上面
３２、３２Ａ、３２Ｂ  側壁
３２１Ｂ              嵌合部
３３、３３Ａ          上面開口
９０                  傘
９１                  軸棒
９２                  傘柄
９３                  傘骨
【図１】
2015213604.tif 000003
【図２】
2015213604.tif 000004
【図３】
2015213604.tif 000005
【図４】
2015213604.tif 000006
【図５】
2015213604.tif 000007
【図６】
2015213604.tif 000008
【図７】
2015213604.tif 000009
【図８】
2015213604.tif 000010
【図９】
2015213604.tif 000011
【図１０】
2015213604.tif 000012
【図１１】
2015213604.tif 000013